【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
中空筒の一部に窓部を備える脚部と、この脚部の一の端部を内挿しスライド可能な第１の伸縮脚部と、前記脚部の他の端部を内挿しスライド可能な第２の伸縮脚部と、前記脚部の一の端部に内設され前記脚部の内部をスライド可能な第１のスライド部材に一の端部が固設され螺旋状に形成された引きばねによって構成される第１の長さ調整部材と、前記脚部の他の端部に内設され前記脚部の内部をスライド可能な第２のスライド部材に一の端部が固設され螺旋状に形成された引きばねによって構成される第２の長さ調整部材と、前記脚部に設けられる前記窓部において前記第１の長さ調整部材及び前記第２の長さ調整部材を係止する係止部とを有し、この係止部は、前記窓部からスライド挿入させて前記第１の長さ調整部材及び前記第２の長さ調整部材を刺衝して前記第１の長さ調整部材及び前記第２の長さ調整部材の移動を抑止する係止部材と、この係止部材を前記脚部に設けられる前記窓部に固定する固定部材とを備えることを特徴とする伸縮装置。
【請求項２】
中空筒の一部に窓部を備える脚部と、この脚部の一の端部を内挿しスライド可能な第１の伸縮脚部と、前記脚部の他の端部を内挿しスライド可能な第２の伸縮脚部と、前記脚部の一の端部と前記第１の伸縮脚部に介設される第１の伸縮部材と、前記脚部の他の端部と前記第２の伸縮脚部に介設される第２の伸縮部材と、前記脚部の一の端部に内設され前記脚部の内部をスライド可能な第１のスライド部材に一の端部が固設され螺旋状に形成された引きばねによって構成される第１の長さ調整部材と、前記脚部の他の端部に内設され前記脚部の内部をスライド可能な第２のスライド部材に一の端部が固設され螺旋状に形成された引きばねによって構成される第２の長さ調整部材と、前記脚部に設けられる前記窓部において前記第１の長さ調整部材及び前記第２の長さ調整部材を係止する係止部とを有し、この係止部は、前記窓部からスライド挿入させて前記第１の長さ調整部材及び前記第２の長さ調整部材を刺衝して前記第１の長さ調整部材及び前記第２の長さ調整部材の移動を抑止する係止部材と、この係止部材を前記脚部に設けられる前記窓部に固定する固定部材とを備えることを特徴とする伸縮装置。
【請求項３】
中空筒の一部に窓部を備える脚部と、この脚部の一の端部を内挿しスライド可能な第１の伸縮脚部と、前記脚部の他の端部を内挿しスライド可能な第２の伸縮脚部と、前記脚部の一の端部に内設され前記脚部の内部をスライド可能な第１のスライド部材に一の端部が固設され螺旋状に形成された引きばねによって構成される第１の長さ調整部材と、この第１の長さ調整部材の他の端部に接続され前記脚部の他の端部まで延設されるガイド部材と、前記脚部の他の端部に内設され前記ガイド部材の内部をスライド可能な第２のスライド部材に一の端部が固設され螺旋状に形成された引きばねによって構成される第２の長さ調整部材と、前記脚部に設けられる前記窓部において前記第１の長さ調整部材及び前記第２の長さ調整部材を係止する係止部とを有し、この係止部は、前記窓部からスライド挿入させて前記第１の長さ調整部材及び前記第２の長さ調整部材を刺衝して前記第１の長さ調整部材及び前記第２の長さ調整部材の移動を抑止する係止部材と、この係止部材を前記脚部に設けられる前記窓部に固定する固定部材とを備えることを特徴とする伸縮装置。
【請求項４】
中空筒の一部に窓部を備える脚部と、この脚部の一の端部を内挿しスライド可能な第１の伸縮脚部と、前記脚部の他の端部を内挿しスライド可能な第２の伸縮脚部と、前記脚部の一の端部と前記第１の伸縮脚部に介設される第１の伸縮部材と、前記脚部の他の端部と前記第２の伸縮脚部に介設される第２の伸縮部材と、前記脚部の一の端部に内設され前記脚部の内部をスライド可能な第１のスライド部材に一の端部が固設され螺旋状に形成された引きばねによって構成される第１の長さ調整部材と、この第１の長さ調整部材の他の端部に接続され前記脚部の他の端部まで延設されるガイド部材と、前記脚部の他の端部に内設され前記ガイド部材の内部をスライド可能な第２のスライド部材に一の端部が固設され螺旋状に形成された引きばねによって構成される第２の長さ調整部材と、前記脚部に設けられる前記窓部において前記第１の長さ調整部材及び前記第２の長さ調整部材を係止する係止部とを有し、この係止部は、前記窓部からスライド挿入させて前記第１の長さ調整部材及び前記第２の長さ調整部材を刺衝して前記第１の長さ調整部材及び前記第２の長さ調整部材の移動を抑止する係止部材と、この係止部材を前記脚部に設けられる前記窓部に固定する固定部材とを備えることを特徴とする伸縮装置。
【請求項５】
前記ガイド部材は螺旋状に形成された押しばねで構成されることを特徴とする請求項３又は請求項４に記載の伸縮装置。
【請求項６】
前記第１の長さ調整部材を構成する螺旋状に形成された引きばね及び／又は前記押しばねと、前記第２の長さ調整部材を構成する螺旋状に形成された引きばねの螺旋方向が異方向であることを特徴とする請求項５に記載の伸縮装置。
【請求項７】
前記係止部材は、切欠部を有する平板状であることを特徴とする請求項１乃至請求項６のいずれか１項に記載の伸縮装置。
【請求項８】
中空筒の一部に窓部と前記中空筒の長手方向に沿って形成される溝部を備える脚部と、この脚部の内部に配置され一部が前記溝部から突出して前記溝部と滑合し前記脚部の内部をスライド可能な突起部と、この突起部に固設され螺旋状に形成された引きばねによって構成される長さ調整部材と、この長さ調整部材にスライド部材を介して接続される伸縮部材と、前記脚部に設けられる前記窓部において前記長さ調整部材を係止する係止部とを有し、この係止部は、前記窓部からスライド挿入させて前記長さ調整部材を刺衝して前記長さ調整部材の移動を抑止する係止部材と、この係止部材を前記脚部に設けられる前記窓部に固定する固定部材とを備えることを特徴とする伸縮装置。
【請求項９】
前記突起部に固設され、前記脚部を内挿してスライド可能な伸縮脚部を具備することを特徴とする請求項８に記載の伸縮装置。
【手続補正２】
【補正対象書類名】明細書
【補正対象項目名】０００９
【補正方法】変更
【補正の内容】
【０００９】
上記目的を達成するため、請求項１記載の発明である伸縮装置は、中空筒の一部に窓部を備える脚部と、この脚部の一の端部を内挿しスライド可能な第１の伸縮脚部と、脚部の他の端部を内挿しスライド可能な第２の伸縮脚部と、脚部の一の端部に内設され脚部の内部をスライド可能な第１のスライド部材に一の端部が固設され螺旋状に形成された引きばねによって構成される第１の長さ調整部材と、脚部の他の端部に内設され脚部の内部をスライド可能な第２のスライド部材に一の端部が固設され螺旋状に形成された引きばねによって構成される第２の長さ調整部材と、脚部に設けられる窓部において第１の長さ調整部材及び第２の長さ調整部材を係止する係止部とを有し、この係止部は、窓部からスライド挿入させて第１の長さ調整部材及び第２の長さ調整部材を刺衝して第１の長さ調整部材及び第２の長さ調整部材の移動を抑止する係止部材と、この係止部材を脚部に設けられる窓部に固定する固定部材とを備えるものである。
また、請求項２に記載の発明である伸縮装置は、中空筒の一部に窓部を備える脚部と、この脚部の一の端部を内挿しスライド可能な第１の伸縮脚部と、脚部の他の端部を内挿しスライド可能な第２の伸縮脚部と、脚部の一の端部と第１の伸縮脚部に介設される第１の伸縮部材と、脚部の他の端部と第２の伸縮脚部に介設される第２の伸縮部材と、脚部の一の端部に内設され脚部の内部をスライド可能な第１のスライド部材に一の端部が固設され螺旋状に形成された引きばねによって構成される第１の長さ調整部材と、脚部の他の端部に内設され脚部の内部をスライド可能な第２のスライド部材に一の端部が固設され螺旋状に形成された引きばねによって構成される第２の長さ調整部材と、脚部に設けられる窓部において第１の長さ調整部材及び第２の長さ調整部材を係止する係止部とを有し、この係止部は、窓部からスライド挿入させて第１の長さ調整部材及び第２の長さ調整部材を刺衝して第１の長さ調整部材及び第２の長さ調整部材の移動を抑止する係止部材と、この係止部材を脚部に設けられる窓部に固定する固定部材とを備えるものである。
上記構成の請求項２に記載の伸縮装置では、まず、脚部の一の端部を第１の伸縮脚に押入すると第１の伸縮部材が縮みながら、脚部が第１の伸縮脚の内部に収納されていく。この動作に対して第１のスライド部材は脚部内部を他の端部の方向へ移動し、第１の長さ調整部材も第１のスライド部材と共に移動するという作用を有する。同様に、脚部の他の端部を第２の伸縮脚に押入すると第２の伸縮部材が縮みながら、脚部が第２の伸縮脚の内部に収納されていき、同時に、第２のスライド部材が脚部内部を一の端部の方向へ移動し、第２の長さ調整部材もこの第２のスライド部材の移動に伴って脚部内部をその一の端部方向へ移動するという作用を有する。
また、脚部に設けられる窓部において係止部材をスライド挿入すると、係止部材は窓部に配置される第１の長さ調整部材及び第２の長さ調整部材の間隙を刺衝して第１の長さ調整部材及び第２の長さ調整部材の移動を抑止するという作用を有する。そして、刺衝されている係止部材を抜脱すると、第１の伸縮脚及び第２の伸縮脚は、第１の伸縮部材及び第２の伸縮部材の弾性により自動的に脚部から抜出し、同時に、第１のスライド部材とこの第１のスライド部材に固設される第１の長さ調整部材は脚部の一の端部方向へ移動し、第２のスライド部材とこの第２のスライド部材に固設される第２の長さ調整部材は脚部の他の端部方向へ移動するという作用を有する。
【手続補正３】
【補正対象書類名】明細書
【補正対象項目名】００１０
【補正方法】変更
【補正の内容】
【００１０】
また、請求項３記載の発明である伸縮装置は、中空筒の一部に窓部を備える脚部と、この脚部の一の端部を内挿しスライド可能な第１の伸縮脚部と、脚部の他の端部を内挿しスライド可能な第２の伸縮脚部と、脚部の一の端部に内設され脚部の内部をスライド可能な第１のスライド部材に一の端部が固設され螺旋状に形成された引きばねによって構成される第１の長さ調整部材と、この第１の長さ調整部材の他の端部に接続され脚部の他の端部まで延設されるガイド部材と、脚部の他の端部に内設されガイド部材の内部をスライド可能な第２のスライド部材に一の端部が固設され螺旋状に形成された引きばねによって構成される第２の長さ調整部材と、脚部に設けられる窓部において第１の長さ調整部材及び第２の長さ調整部材を係止する係止部とを有し、この係止部は、窓部からスライド挿入させて第１の長さ調整部材及び第２の長さ調整部材を刺衝して第１の長さ調整部材及び第２の長さ調整部材の移動を抑止する係止部材と、この係止部材を脚部に設けられる窓部に固定する固定部材とを備えるものである。
さらに、請求項４記載の発明である伸縮装置は、中空筒の一部に窓部を備える脚部と、この脚部の一の端部を内挿しスライド可能な第１の伸縮脚部と、脚部の他の端部を内挿しスライド可能な第２の伸縮脚部と、脚部の一の端部と第１の伸縮脚部に介設される第１の伸縮部材と、脚部の他の端部と第２の伸縮脚部に介設される第２の伸縮部材と、脚部の一の端部に内設され脚部の内部をスライド可能な第１のスライド部材に一の端部が固設され螺旋状に形成された引きばねによって構成される第１の長さ調整部材と、この第１の長さ調整部材の他の端部に接続され脚部の他の端部まで延設されるガイド部材と、脚部の他の端部に内設されガイド部材の内部をスライド可能な第２のスライド部材に一の端部が固設され螺旋状に形成された引きばねによって構成される第２の長さ調整部材と、脚部に設けられる窓部において第１の長さ調整部材及び第２の長さ調整部材を係止する係止部とを有し、この係止部は、窓部からスライド挿入させて第１の長さ調整部材及び第２の長さ調整部材を刺衝して第１の長さ調整部材及び第２の長さ調整部材の移動を抑止する係止部材と、この係止部材を脚部に設けられる窓部に固定する固定部材とを備えるものである。
上記構成の請求項４に記載の伸縮装置では、ほぼ請求項２に記載の伸縮装置と同様であるが、ガイド部材を、第１の長さ調整部材の他の端部から脚部の他の端部まで延設したことが特徴となる。
そこで、脚部の他の端部を第２の伸縮脚に押入すると第２の伸縮部材が縮みながら、脚部が第２の伸縮脚の内部に収納されていき、同時に、第２のスライド部材が脚部内部を一の端部の方向へ移動し、第２の長さ調整部材がガイド部材の内部を脚部の一の端部方向へ移動し、この第２のスライド部材の移動に伴って第２の長さ調整部材も脚部の一の端部方向へ移動するという作用を有する。ガイド部材は、第１の長さ調整部材の他の端部に接続され脚部の他の端部まで延設されるので、第２の長さ調整部材は、ガイド部材内から引き続き第１の長さ調整部材内を移動することになる。ガイド部材は、第２の長さ調整部材を挿通させることによって脚部内で蛇行などの不具合を起こさないように作用する部材である。
また、脚部に設けられる窓部において係止部材をスライド挿入、あるいは抜脱する際の作用は、請求項２に記載の発明と同様である。
【手続補正４】
【補正対象書類名】明細書
【補正対象項目名】００１１
【補正方法】変更
【補正の内容】
【００１１】
また、請求項５に記載の発明である伸縮装置は、請求項３又は請求項４に記載の伸縮装置において、ガイド部材は螺旋状に形成された押しばねで構成されるものである。
上記構成の伸縮装置では、請求項３又は請求項４に記載の発明の作用に加えて、脚部の一の端部の第１の伸縮脚部への押入に伴う第１のスライド部材及び第１の長さ調整部材の脚部の他の端部方向への移動により、押しばねで構成されるガイド部材は移動するとともに圧縮されるという作用を有する。また、圧縮された状態から係止部材による係止が解除されると、押しばねで構成されるガイド部材はばねの弾性により第１のスライド部材及び第１の長さ調整部材を脚部の一の端部方向へ押動するという作用を有する。
【手続補正５】
【補正対象書類名】明細書
【補正対象項目名】００１２
【補正方法】変更
【補正の内容】
【００１２】
そして、請求項６に記載の発明である伸縮装置は、請求項５に記載の伸縮装置において、第１の長さ調整部材を構成する螺旋状に形成された引きばね及び／又は押しばねと、第２の長さ調整部材を構成する螺旋状に形成された引きばねの螺旋方向が異方向であるものである。
上記構成の伸縮装置では、請求項５記載の発明の作用に加えて、接し合う第１の長さ調整部材を構成する螺旋状に形成された引きばね及び／又は押しばねと、第２の長さ調整部材を構成する螺旋状に形成された引きばねの螺旋方向が互いに異なる方向であるため、螺旋同士の噛み込みあるいは絡みを防止する作用を有する。
【手続補正６】
【補正対象書類名】明細書
【補正対象項目名】００１３
【補正方法】変更
【補正の内容】
【００１３】
さらに、請求項７に記載の発明である伸縮装置は、請求項１乃至請求項６のいずれか１項に記載の伸縮装置において、係止部材は、切欠部を有する平板状であるものである。
上記構成の伸縮装置では、請求項１乃至請求項６記載の発明の作用に加えて、係止部材に形成される切欠部は、外周を形成する第１の長さ調整部材のみを刺衝する際に刺衝面積を増加させるという作用を有する。
【手続補正７】
【補正対象書類名】明細書
【補正対象項目名】００１４
【補正方法】変更
【補正の内容】
【００１４】
そして、請求項８に記載の発明である伸縮装置は、中空筒の一部に窓部と中空筒の長手方向に沿って形成される溝部を備える脚部と、この脚部の内部に配置され一部が溝部から突出して溝部と滑合し脚部の内部をスライド可能な突起部と、この突起部に固設され螺旋状に形成された引きばねによって構成される長さ調整部材と、この長さ調整部材にスライド部材を介して接続される伸縮部材と、脚部に設けられる窓部において長さ調整部材を係止する係止部とを有し、この係止部は、窓部からスライド挿入させて長さ調整部材を刺衝して長さ調整部材の移動を抑止する係止部材と、この係止部材を脚部に設けられる窓部に固定する固定部材とを備えるものである。
上記構成の伸縮装置では、突起部を脚部の溝部に滑合してスライドすると突起部に固設された長さ調整部材と長さ調整部材に固設されたスライド部材は突起部に連動して移動すると同時に、伸縮部材は収縮するという作用を有する。
また、脚部の窓部において係止部材をスライド挿入すると、係止部材は窓部に配置される長さ調整部材の間隙を刺衝して長さ調整部材の移動を抑止するという作用を有する。そして、刺衝されている係止部材を抜脱すると、伸縮部材の弾性により突起部と長さ調整部材は付勢されて元の位置に向けてスライド移動するという作用を有する。
【手続補正８】
【補正対象書類名】明細書
【補正対象項目名】００１５
【補正方法】変更
【補正の内容】
【００１５】
また、請求項９に記載の発明である伸縮装置は、請求項８に記載の伸縮装置において、突起部に固設され、脚部を内挿してスライド可能な伸縮脚部を具備するものである。
上記構成の伸縮装置では、請求項８の発明の作用に加えて、伸縮脚部は、突起部に連動し、脚部を内挿してスライド移動するという作用を有する。
【手続補正９】
【補正対象書類名】明細書
【補正対象項目名】００１６
【補正方法】変更
【補正の内容】
【００１６】
本発明の請求項１乃至請求項４に記載の伸縮装置では、対を成す伸縮脚を備えて構成される脚部の長さの調節を係止部の操作のみで容易かつ同時に行うことができ、しかも、脚部の長さは、長さ調整部材を構成する螺旋状の引きばねの間隙毎に設定することができるので微調節が可能であるとともに、引きばねに刺衝される係止部材を摩擦力で挟み込むので係止部材が抜け難い。
【手続補正１０】
【補正対象書類名】明細書
【補正対象項目名】００１７
【補正方法】変更
【補正の内容】
【００１７】
また、本発明の請求項５に記載の伸縮装置では、第１の伸縮部材の弾性作用に加えて、ガイド部材を構成する押しばねが弾性作用を備えているので、脚部の一の端部を第１の伸縮脚部に押入して係止した状態を解除すると、第１の伸縮脚部の脚部からの抜出が押しばねの付勢を受けて容易となる。
【手続補正１１】
【補正対象書類名】明細書
【補正対象項目名】００１８
【補正方法】変更
【補正の内容】
【００１８】
そして、本発明の請求項６に記載の伸縮装置では、第１の長さ調整部材を構成する螺旋状に形成された引きばねと、第２の長さ調整部材を構成する螺旋状に形成された引きばねが噛み込んだり絡むことがない。従って、第１の長さ調整部材の脚部の他の端部方向への移動と、第２の長さ調整部材の脚部の一の端部方向への移動が容易となり、連結される第１の伸縮脚部及び第２の伸縮脚部のスライド移動も容易となる。
さらに、押しばねと、第２の長さ調整部材を構成する引きばねも噛み込んだり絡むこともない。従って、このことによっても第２の長さ調整部材の脚部の一の端部方向への移動が容易となる。
【手続補正１２】
【補正対象書類名】明細書
【補正対象項目名】００１９
【補正方法】変更
【補正の内容】
【００１９】
さらに、本発明の請求項７に記載の伸縮装置では、係止部材は、第１の長さ調整部材のみを刺衝することができるので、第１の長さ調整部材を係止した状態で、第２の長さ調整部材による脚部の他の端部の長さ調節を可能にしている。また、切欠部がない直線状の係止部材よりも刺衝面積を大きくすることができるので、より強固に第１の長さ調整部材のみを刺衝することができる。
【手続補正１３】
【補正対象書類名】明細書
【補正対象項目名】００２０
【補正方法】変更
【補正の内容】
【００２０】
そして、本発明の請求項８に記載の伸縮装置では、脚部の形状に沿って形成される溝部を滑合する突起部に固設される長さ調整部材を係止して脚部の長さを決定するので、脚部が直線形状以外の曲線形状であっても対応することができる。しかも、構造が簡単であるので、製造やメンテナンス等において有利となる。
【手続補正１４】
【補正対象書類名】明細書
【補正対象項目名】００２１
【補正方法】変更
【補正の内容】
【００２１】
また、本発明の請求項９に記載の伸縮装置では、突起部に固設される伸縮脚部が設置されているので、脚部の長さの調整により伸縮脚部の長さを容易に決定することができる。
【手続補正１５】
【補正対象書類名】明細書
【補正対象項目名】００２２
【補正方法】変更
【補正の内容】
【００２２】
以下に、本発明に係る伸縮装置の最良の実施の形態を図１乃至図６に基づき説明する。（特に、請求項１乃至請求項７に対応）
図１は、本発明の本実施の形態に係る伸縮装置の縦断面図である。
図１において、本実施の形態に係る伸縮装置１は、中空筒で門形状を成しその両端が各々第１の脚２ａ及び第２の脚２ｂを形成する脚部２と、上部が開口した中空筒で脚部２の外径よりも大きい内径を有し、第１の脚２ａの端部を内挿しスライド可能な第１の伸縮脚３及び第２の脚２ｂの端部を内挿しスライド可能な第２の伸縮脚４を備えている。
そして、第１の脚２ａと第１の伸縮脚３の間には螺旋状の第１の押しばね５が介設されており、この第１の押しばね５は、第１の伸縮脚３の凸状の下端具６と第１の脚２ａの側面に設置される押しばね固定具７において固定されている。また、同様に、第２の脚２ｂと第２の伸縮脚４の間には螺旋状の第２の押しばね８が介設されており、その固定は、第２の伸縮脚４の凸状の下端具９と第２の脚２ｂの側面に設置される押しばね固定具１０において行われている。これらの第１の押しばね５及び第２の押しばね８は、第１の伸縮脚３及び第２の伸縮脚４のスライド移動に追従し伸縮するようになっている。
【手続補正１６】
【補正対象書類名】明細書
【補正対象項目名】００４１
【補正方法】変更
【補正の内容】
【００４１】
続いて、本発明に係る伸縮装置の第２の実施の形態を図１０乃至図１３に基づき説明する。（特に、請求項８及び請求項９に対応）
図１０は、本発明の第２の実施の形態に係る伸縮装置の概念図である。
図１０において、伸縮装置５１は、主に、中空筒の脚部５２と、脚部５２に連結される伸縮脚５４と、伸縮装置５１の長さを固定する係止部５５から構成されている。
そして、脚部５２は、脚部５２の長手方向に沿って形成される溝部５６と、図示していないが、係止部５５のストッパが挿入されるストッパ挿入窓を備えており、その内部には、一部が溝部５６から突出し溝部５６を滑合可能な突起部５７と、この突起部５７に固設され、長さ調整部材に相当する引きばね５８と、図示していないが、引きばね５８にスライド部材を介して接続され、伸縮部材に相当する押しばねが設置されている。なお、符号５３は脚部カバーであり、脚部５２に固定部材６３を介してボルト６４で固定されている。
また、突起部５７には、伸縮脚５４が固設されている。その固定方法の詳細については後述するが、突起部５７の突出した部分を第１の突起部固定部材６５と第２の突起部固定部材６６で挟持させた状態でボルト６７を用いて固定している。
そして、係止部５５は、ストッパ（図示せず）に連結するハンドル６２と、ストッパ及びハンドル６２を固定し、脚部５２に固設される固定部材６０から構成されている。ハンドル６２を押すと、ストッパは固定部材６０に設置されるストッパ挿入口６１から、脚部５２に設けられるストッパ挿入窓を通過して、ストッパ挿入窓に位置する引きばね５８の間隙を刺衝して引きばね５８の移動を抑止するようになっている。